(57)【要約】【課題】金融機関の利用者が自動取引装置を操作して該自動取引装置の画面にアフィリエイト広告を表示させることができるようにして、自動取引装置の画面が広告媒体として効率的に活用することができるとともに、金融機関の利用者が容易に、かつ、手軽にアフィリエイト広告によって報酬を得ることができるようにする。【解決手段】利用者が操作可能な画面を表示する画面表示操作部１１ａを備え、金融取引を行う自動取引装置１１と、該自動取引装置１１と通信可能に接続されたホストサーバ１３と、前記自動取引装置１１及びホストサーバ１３と通信可能に接続され、前記自動取引装置１１及びホストサーバ１３と宣伝販売用のウェブページとを中継する外部サーバとを有し、前記利用者が前記画面を操作することにより、前記ウェブページのリンクが張られて金融取引用の画面に表示されるアフィリエイト広告が登録される。【選択図】図１
2009211336.tif 000002
【特許請求の範囲】
【請求項１】
（ａ）利用者が操作可能な画面を表示する画面表示操作部を備え、金融取引を行う自動取引装置と、
（ｂ）該自動取引装置と通信可能に接続されたホストサーバと、
（ｃ）前記自動取引装置及びホストサーバと通信可能に接続され、前記自動取引装置及びホストサーバと宣伝販売用のウェブページとを中継する外部サーバとを有し、
（ｄ）前記利用者が前記画面を操作することにより、前記ウェブページのリンクが張られて金融取引用の画面に表示されるアフィリエイト広告が登録されることを特徴とする広告表示システム。
【請求項２】
前記利用者が前記画面を操作してあらかじめ登録されたアフィリエイト広告にタッチすると、前記ウェブページが前記画面に表示される請求項１に記載の広告表示システム。
【請求項３】
前記利用者が前記画面を操作してあらかじめ登録されたアフィリエイト広告にタッチすると、前記自動取引装置は、前記ウェブページの情報を含む二次元情報コードが印刷された取引明細票を発行する請求項１に記載の広告表示システム。
【請求項４】
（ａ）利用者が操作可能な画面を表示する画面表示操作部を備え、金融取引を行う自動取引装置と通信可能に接続されるとともに、宣伝販売用のウェブページを中継する外部サーバと通信可能に接続されたホストサーバであって、
（ｂ）前記外部サーバに格納された情報に基づき、前記ウェブページのリンクが張られて前記画面に表示されるアフィリエイト広告を登録するための画面を前記画面表示操作部に表示させる登録画面生成手段を有することを特徴とするホストサーバ。
【請求項５】
あらかじめ登録されたアフィリエイト広告を金融取引用の画面に表示させるアフィリエイト広告画面生成手段を有する請求項４に記載のホストサーバ。
【請求項６】
前記アフィリエイト広告を登録した利用者の優先順位に基づき、金融取引用の画面に表示させるアフィリエイト広告を選択する請求項５に記載のホストサーバ。
【請求項７】
前記アフィリエイト広告によって発生した報酬に関するデータを、前記アフィリエイト広告を登録した利用者に対応付けて格納する報酬データ保持部を有する請求項４〜６のいずれか１項に記載のホストサーバ。
【請求項８】
（ａ）利用者が操作可能な画面を表示する画面表示操作部を有し、ホストサーバと通信可能に接続され、該ホストサーバと通信して金融取引を行う自動取引装置であって、
（ｂ）宣伝販売用のウェブページを中継する外部サーバと通信可能に接続され、
（ｃ）前記画面表示操作部は、前記ウェブページのリンクが張られて前記画面に表示されるアフィリエイト広告を登録するための画面を表示することを特徴とする自動取引装置。
【請求項９】
前記利用者は、前記アフィリエイト広告を登録するための画面において、前記アフィリエイト広告の表示位置を指定することができる請求項８に記載の自動取引装置。
【請求項１０】
あらかじめ登録されたアフィリエイト広告を表示する金融取引用の画面を、前記ホストサーバから取得する請求項８又は９に記載の自動取引装置。
【請求項１１】
前記利用者が前記画面を操作してあらかじめ登録されたアフィリエイト広告にタッチすると、前記ウェブページの情報を含む二次元情報コードが印刷された取引明細票を発行する明細発行部を有する請求項１０に記載の自動取引装置。
【発明の詳細な説明】
【技術分野】
【０００１】
本発明は、利用者主導で自動取引装置に広告を表示するための広告表示システム、ホストサーバ及び自動取引装置に関するものである。
【背景技術】
【０００２】
従来、銀行、信用金庫、郵便局等の金融機関の利用者が、入金、出金、振込、残高照会等の金融取引を行う場合、前記金融機関の本店又は支店、すなわち、営業店に配設されたＡＴＭ（Ａｕｔｏｍａｔｉｃ  Ｔｅｌｌｅｒ  Ｍａｃｈｉｎｅ：現金自動預払機）、ＣＤ（Ｃａｓｈ  Ｄｉｓｐｅｎｓｅｒ：現金自動支払機）等の自動取引装置を利用すると、該自動取引装置の表示画面に自動取引装置の操作方法の指示や取引金額等の金融取引に関する情報に加えて、前記金融機関から利用者への商品やサービスを販売するためのメッセージ、広告等の広告情報が表示されたり、印刷される、広告表示システムが提案されている（例えば、特許文献１参照。）。
【０００３】
この場合、営業店に来店した利用者がキャッシュカード等のカードを前記自動取引装置のカード取扱部に挿入して金融取引を行うと、前記自動取引装置はホストコンピュータと通信を行って、利用者が選択した金融処理を実行する。そして、ホストコンピュータとの通信中のように「処理実行中」の旨を表示する画面、取引選択待ち状態におけるテロップを表示する画面等に広告情報が表示されるようになっている。例えば、前記利用者が銀行における自動取引装置を操作して残高照会を選択すると、自動取引装置がホストコンピュータと通信を行って処理を実行している間に、表示画面に「当行におきましては、○月○日より新しい××サービスを開始しました。どうぞご利用下さい。」というようなメッセージが表示されるようになっている。
【０００４】
これにより、金融機関は、利用者に対して広告情報を提供することができる。一般に、自動取引装置を操作している前記利用者は表示画面を注視していることが多いので、自動取引装置の表示画面に表示された広告情報は、例えば、テレビの画面に表示された広告情報よりも、大きな宣伝効果を有するものである。また、前記利用者も、処理の終了を待っている暇な時間に有益な広告情報を得ることができる。
【特許文献１】特開平９−１１５０３４号公報
【発明の開示】
【発明が解決しようとする課題】
【０００５】
しかしながら、前記従来の広告表示システムにおいては、自動取引装置の表示画面が広告媒体として有効であるにも関わらず、広告主として広告情報を提供するのは、前記自動取引装置を運営する金融機関だけであり、自動取引装置の表示画面が広告媒体として効率的に活用されていない。
【０００６】
また、近年では、インターネット、すなわち、ウェブ（Ｗｅｂ）においてアフィリエイト（Ａｆｆｉｌｉａｔｅ）広告という広告表示システムが広く採用されている。アフィリエイト広告においては、ウェブ上のホームページやブログサイトの管理者が自分のホームページやブログサイトを広告媒体として提供し、ウェブ上の会員制サイトやショッピングサイトの管理者と広告表示の契約を締結して、会員制サイトやショッピングサイトの広告をホームページやブログサイトに掲載する方法である。
【０００７】
この場合、広告媒体であるホームページやブログサイトがアフィリエイトサイトと称され、広告主である会員制サイトやショッピングサイトがＥＣ（Ｅｌｅｃｔｒｏｎｉｃ  Ｃｏｍｍｅｒｃｅ）サイトと称される。そして、アフィリエイトサイトには契約を締結したＥＣサイトのリンクが張られる。これにより、ウェブの利用者がアフィリエイトサイトを閲覧した際に、掲載されている広告に興味を抱いて該広告をクリックすると、対応するＥＣサイトにジャンプし、より詳細な情報を入手したり、ＥＣサイトで提供する商品やサービスを購入したりすることができる。
【０００８】
そして、広告による報酬は、アフィリエイトサイトに掲載された広告が利用者によってクリックされた回数やＥＣサイトでの購入に結びついた回数に応じて、広告主であるＥＣサイトの管理者からアフィリエイトサイトの管理者に支払われる。
【０００９】
なお、アフィリエイトサービスプロバイダ（Ａｆｆｉｌｉａｔｅ  Ｓｅｒｖｉｃｅ  Ｐｒｏｖｉｄｅｒ：ＡＳＰ）が代理店として仲介し、契約の締結、報酬の支払等を代行するようにしてもよい。
【００１０】
しかし、アフィリエイト広告によって報酬を得ようとする者は、アフィリエイトサイトとなるホームページ、ブログサイト等のウェブサイトを自分で運営管理する必要があり、ＥＣサイトの管理者又はアフィリエイトサービスプロバイダによる審査に合格しなければならず、さらに、ウェブ技術に関する知識をある程度有する必要がある。そのため、アフィリエイト広告によって報酬を得ることは困難であった。
【００１１】
本発明は、前記従来の広告表示システムの問題を解決して、金融機関の利用者が自動取引装置を操作して該自動取引装置の画面にアフィリエイト広告を表示させることができるようにして、自動取引装置の画面が広告媒体として効率的に活用することができるとともに、金融機関の利用者が容易に、かつ、手軽にアフィリエイト広告によって報酬を得ることができる広告表示システム、ホストサーバ及び自動取引装置を提供することを目的とする。
【課題を解決するための手段】
【００１２】
そのために、本発明の広告表示システムにおいては、利用者が操作可能な画面を表示する画面表示操作部を備え、金融取引を行う自動取引装置と、該自動取引装置と通信可能に接続されたホストサーバと、前記自動取引装置及びホストサーバと通信可能に接続され、前記自動取引装置及びホストサーバと宣伝販売用のウェブページとを中継する外部サーバとを有し、前記利用者が前記画面を操作することにより、前記ウェブページのリンクが張られて金融取引用の画面に表示されるアフィリエイト広告が登録される。
【００１３】
本発明の他の広告表示システムにおいては、さらに、前記利用者が前記画面を操作してあらかじめ登録されたアフィリエイト広告にタッチすると、前記ウェブページが前記画面に表示される。
【００１４】
本発明の更に他の広告表示システムにおいては、さらに、前記利用者が前記画面を操作してあらかじめ登録されたアフィリエイト広告にタッチすると、前記自動取引装置は、前記ウェブページの情報を含む二次元情報コードが印刷された取引明細票を発行する。
【００１５】
本発明のホストサーバにおいては、利用者が操作可能な画面を表示する画面表示操作部を備え、金融取引を行う自動取引装置と通信可能に接続されるとともに、宣伝販売用のウェブページを中継する外部サーバと通信可能に接続されたホストサーバであって、前記外部サーバに格納された情報に基づき、前記ウェブページのリンクが張られて前記画面に表示されるアフィリエイト広告を登録するための画面を前記画面表示操作部に表示させる登録画面生成手段を有する。
【００１６】
本発明の他のホストサーバにおいては、さらに、あらかじめ登録されたアフィリエイト広告を金融取引用の画面に表示させるアフィリエイト広告画面生成手段を有する。
【００１７】
本発明の更に他のホストサーバにおいては、さらに、前記アフィリエイト広告を登録した利用者の優先順位に基づき、金融取引用の画面に表示させるアフィリエイト広告を選択する。
【００１８】
本発明の更に他のホストサーバにおいては、さらに、前記アフィリエイト広告によって発生した報酬に関するデータを、前記アフィリエイト広告を登録した利用者に対応付けて格納する報酬データ保持部を有する。
【００１９】
本発明の自動取引装置においては、利用者が操作可能な画面を表示する画面表示操作部を有し、ホストサーバと通信可能に接続され、該ホストサーバと通信して金融取引を行う自動取引装置であって、宣伝販売用のウェブページを中継する外部サーバと通信可能に接続され、前記画面表示操作部は、前記ウェブページのリンクが張られて前記画面に表示されるアフィリエイト広告を登録するための画面を表示する。
【００２０】
本発明の他の自動取引装置においては、さらに、前記利用者は、前記アフィリエイト広告を登録するための画面において、前記アフィリエイト広告の表示位置を指定することができる。
【００２１】
本発明の更に他の自動取引装置においては、さらに、あらかじめ登録されたアフィリエイト広告を表示する金融取引用の画面を、前記ホストサーバから取得する。
【００２２】
本発明の更に他の自動取引装置においては、さらに、前記利用者が前記画面を操作してあらかじめ登録されたアフィリエイト広告にタッチすると、前記ウェブページの情報を含む二次元情報コードが印刷された取引明細票を発行する明細発行部を有する。
【発明の効果】
【００２３】
本発明によれば、広告表示システムは、金融機関の利用者が自動取引装置を操作して該自動取引装置の画面にアフィリエイト広告を表示させることができる。そのため、自動取引装置の画面が広告媒体として効率的に活用することができるとともに、金融機関の利用者が容易に、かつ、手軽にアフィリエイト広告によって報酬を得ることができる。
【発明を実施するための最良の形態】
【００２４】
以下、本発明の実施の形態について図面を参照しながら詳細に説明する。
【００２５】
図１は本発明の第１の実施の形態における広告表示システムの構成を示す図である。
【００２６】
図において、１１は、銀行、信用金庫、郵便局等の金融機関の支店等に配設されたＡＴＭ、ＣＤ等の自動取引装置であり、前記金融機関の利用者が、自分で操作して入金、出金、通帳記帳、残高照会、振込、振替、送金、定期性預金設定等の金融サービスを利用するための装置である。なお、前記自動取引装置１１は、コンビニエンスストア、スーパーマーケット、デパート等の商店の店舗、地下街等に配設され、チケット予約機能、商品購入申込み機能、クレジットカードの与信確認機能、施設情報案内機能等を有するキオスク（ＫＩＯＳＫ）端末のような多機能端末であってもよい。なお、前記利用者は、金融機関に自己の口座を開設し、前記金融サービスを利用する者である。
【００２７】
ここで、自動取引装置１１は、画面表示操作部１１ａを有し、また、図示されないカード取扱部、通帳記帳部、紙幣入出金部、硬貨入出金部及び制御部を有する。
【００２８】
前記画面表示操作部１１ａは、キーボード、タッチパネル等の入力装置と、ＣＲＴ、液晶ディスプレイ、ＬＥＤ（Ｌｉｇｈｔ  Ｅｍｉｔｔｉｎｇ  Ｄｉｏｄｅ）ディスプレイ等の表示装置とを備える。さらに、利用者の音声を入力するためのマイクロホン等の音声入力装置、音声案内を出力するためのスピーカ等の音声出力装置等を備えていてもよい。なお、前記画面表示操作部１１ａは、表示装置の機能と入力装置の機能とを併せ持つタッチパネルであることが望ましく、利用者が選択した取引に対して利用者の入力操作等の誘導を行う画面、入力された情報等を表示するものである。これにより、利用者は希望する取引の選択、暗証番号や取引金額などの入力等を行うことができる。
【００２９】
そして、前記カード取扱部は、カードが挿入されるカードスロットを備え、該カードスロット内には、カードを搬送する搬送装置、及び、カードの磁気ストライプやＩＣに格納された情報の読取、上書、消去等を行うための磁気ヘッド等の記録ヘッドが配設される。なお、前記カード取扱部は他の金融機関の発行したキャッシュカード、クレジットカード、デビットカード等の他の種類のカードも取り扱えることが望ましい。
【００３０】
また、前記通帳記帳部は、通帳が挿入される通帳スロットを備え、該通帳スロット内には、通帳を搬送する搬送装置、通帳に前記金融取引の記録を印刷する印字ヘッド、及び、通帳の磁気ストライプに格納された情報の読取、上書、消去等を行うための磁気ヘッド等の記録ヘッドが配設される。
【００３１】
さらに、前記紙幣入出金部は、入金等の金融取引において利用者が入金した紙幣を受け取りカウントするとともに、出金等の金融取引において所定金額の紙幣を払い出す。同様に、前記硬貨入出金部は、入金等の金融取引において利用者が入金した硬貨を受け取りカウントするとともに、出金等の金融取引において所定金額の硬貨を払い出す。
【００３２】
また、前記制御部は、ＣＰＵ、ＭＰＵ等の演算手段、半導体メモリ、磁気ディスク等の記憶手段、通信手段等を備え、前記自動取引装置１１の動作を統括的に制御する。
【００３３】
また、１３は、ＣＰＵ、ＭＰＵ等の演算手段、半導体メモリ、磁気ディスク等の記憶手段、入力手段、通信手段等を備えるコンピュータとしてのホストサーバであり、前記金融機関によって運営管理され、自動取引装置１１の上位装置として機能する。また、前記ホストサーバ１３は、ウェブサーバ又はアプリケーションサーバとしても機能する。なお、前記ホストサーバ１３は金融機関の本部等に配設され、第１ネットワーク１２を介して、前記自動取引装置１１と通信可能に接続されている。
【００３４】
前記第１ネットワーク１２は、金融機関内のネットワークであって、例えば、オンラインネットワークであるが、無線又は有線の専用通信回線網又は公衆通信回線網、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）等のいかなるものであってもよい。
【００３５】
そして、前記ホストサーバ１３は、第１ネットワーク１２を介して前記自動取引装置１１と通信を行うことによって、利用者が前記自動取引装置１１を操作して行った金融取引の処理を実行する。さらに、前記ホストサーバ１３は、画面表示データ提供部１３ａを備え、画面表示操作部１１ａに表示される画面を自動取引装置１１に提供する。
【００３６】
また、前記第１ネットワーク１２には、広告データ保持部１４及び報酬データ保持部１７が接続されている。前記広告データ保持部１４は、データベースであり、画面表示操作部１１ａに表示されるアフィリエイト広告のアフィリエイトリンクデータを格納する。さらに、前記報酬データ保持部１７は、データベースであり、画面表示操作部１１ａに表示される広告に関する報酬データを格納する。なお、図に示される例において、ホストサーバ１３、広告データ保持部１４及び報酬データ保持部１７は、相互に独立した装置として構成されているが、単一の装置として一体的に構成されていてもよい。
【００３７】
さらに、前記第１ネットワーク１２には、第２ネットワーク１５を介して、提携先の外部サーバとしてのＡＳＰサーバ１６、及び、宣伝販売用のウェブサイトとしてのＥＣサイト１８が通信可能に接続されている。なお、前記第２ネットワーク１５は、金融機関外のネットワークであって、無線又は有線の専用通信回線網又は公衆通信回線網、ＬＡＮ、ＷＡＮ等のいかなるものであってもよいが、ここでは、インターネットであるものとして説明する。
【００３８】
ここで、前記ＥＣサイト１８は、ＣＰＵ、ＭＰＵ等の演算手段、半導体メモリ、磁気ディスク等の記憶手段、入力手段、通信手段等を備えるコンピュータとしてのウェブサーバに開設された宣伝販売用のウェブページの存在する場所であって、「発明が解決しようとする課題」の項において説明したように、会員制サイトやショッピングサイトであり、あらかじめ契約を締結したアフィリエイトサイトにリンクが張られている。そして、パーソナルコンピュータ等の第２ネットワーク１５に接続された端末を操作する者は、前記アフィリエイトサイトを閲覧中に該アフィリエイトサイトに掲載された前記ＥＣサイト１８のウェブページに対応付けられたバナー広告等の広告表示をクリックすると、前記アフィリエイトサイトからＥＣサイト１８のウェブページにジャンプするようになっている。そして、前記端末を操作する者は、前記ＥＣサイト１８のウェブページを閲覧して、より詳細な情報を入手したり、前記ＥＣサイト１８で提供する商品やサービスを購入したりすることができる。なお、第２ネットワーク１５に接続されているＥＣサイト１８は、通常、複数であるが、図には、説明の都合上、単一のＥＣサイト１８のみが示されている。
【００３９】
また、前記ＡＳＰサーバ１６は、ＣＰＵ、ＭＰＵ等の演算手段、半導体メモリ、磁気ディスク等の記憶手段、入力手段、通信手段等を備えるコンピュータとしてのウェブサーバであって、前記自動取引装置１１及びホストサーバ１３と前記ＥＣサイト１８のウェブページとを中継するウェブサーバである。なお、前記ＡＳＰサーバ１６は、「発明が解決しようとする課題」の項において説明したように、ＥＣサイト１８の管理者とアフィリエイトサイトの管理者との間を仲介して、アフィリエイト契約の締結、報酬の支払等を代行するアフィリエイトサービスプロバイダが運営管理するウェブサーバである。また、前記ＡＳＰサーバ１６は、複数であってもよいが、ここでは、説明の都合上、単一であるものとする。
【００４０】
そして、金融機関とアフィリエイトサービスプロバイダとの間にはあらかじめ契約が締結され、前記自動取引装置１１、ホストサーバ１３、広告データ保持部１４及び報酬データ保持部１７は、第１ネットワーク１２及び第２ネットワーク１５を介して、ＡＳＰサーバ１６に接続することができ、さらに、該ＡＳＰサーバ１６を介して、前記アフィリエイトサービスプロバイダが仲介するＥＣサイト１８に接続することができる。なお、前記自動取引装置１１、ホストサーバ１３、広告データ保持部１４及び報酬データ保持部１７は、直接には、第２ネットワーク１５に接続されたＥＣサイト１８に接続することができないようになっている。これにより、前記自動取引装置１１、ホストサーバ１３、広告データ保持部１４及び報酬データ保持部１７が、例えば、アダルトサイト等の、一般的にアクセス制限の対象となる内容のＥＣサイト１８に接続されることを防止することができる。
【００４１】
また、前記自動取引装置１１は、利用者が操作することによって、画面表示操作部１１ａに広告としてのアフィリエイト広告を登録する機能を備える。この場合、ホストサーバ１３の画面表示データ提供部１３ａが、登録画面生成手段として機能し、前記ＡＳＰサーバ１６に格納されたＥＣサイト１８のウェブページに関する情報に基づき、アフィリエイト広告を登録するための画面を自動取引装置１１に提供し、画面表示操作部１１ａに表示させる。
【００４２】
登録されたアフィリエイト広告は、例えば、自動取引装置１１がホストサーバ１３との通信中のように「処理実行中」の旨を表示する画面、取引選択待ち状態におけるテロップを表示する画面等を含む金融取引用の画面に表示されるようになっている。この場合、ホストサーバ１３の画面表示データ提供部１３ａが、アフィリエイト広告画面生成手段として機能し、登録されたアフィリエイト広告を表示する金融取引用の画面を生成して自動取引装置１１に提供し、画面表示操作部１１ａに表示させる。なお、前記アフィリエイト広告には、所定のＥＣサイト１８のリンクが張られている。そして、他の利用者が、前記自動取引装置１１を操作しているときに画面表示操作部１１ａの画面に表示されたアフィリエイト広告にタッチすると、該アフィリエイト広告に対応するＥＣサイト１８にジャンプして、該ＥＣサイト１８が画面表示操作部１１ａの画面に表示される。
【００４３】
なお、アフィリエイト広告に対応するＥＣサイト１８の広告情報を示す文字情報、すなわち、アフィリエイトリンクデータは、前述のように、広告データ保持部１４に格納される。また、他の利用者がＥＣサイト１８を閲覧したこと、又は、該ＥＣサイト１８で提供する商品やサービスを購入したことによって発生する報酬についてのデータ、すなわち、報酬データは、前述のように、報酬データ保持部１７に格納される。
【００４４】
アフィリエイト広告によって報酬が発生する条件（例えば、アフィリエイト広告からＥＣサイト１８にジャンプしたこと、ＥＣサイト１８で提供する商品やサービスを購入したこと等）、報酬額の決定方法（例えば、アフィリエイト広告からＥＣサイト１８へのジャンプ１回当たりの金額、ＥＣサイト１８で提供する商品やサービスの購入金額に対する比率等）等の事項については、金融機関とアフィリエイトサービスプロバイダとの間、又は、アフィリエイトサービスプロバイダを仲介として金融機関とＥＣサイトの管理者との間で、あらかじめ設定されているものとする。なお、報酬額のうち、金融機関の取り分と、アフィリエイト広告を登録した利用者の取り分との比率は、あらかじめ金融機関が設定するものとする。
【００４５】
また、該金融機関とアフィリエイトサービスプロバイダとの間、又は、アフィリエイトサービスプロバイダを仲介として金融機関とＥＣサイトの管理者との間でアフィリエイト広告に関する契約が締結されると、アフィリエイトサイトして機能する自動取引装置１１を管理する前記金融機関にアフィリエイトＩＤが付与される。そして、アフィリエイト広告によって発生した報酬は、アフィリエイトＩＤに基づく統計情報により、金融機関に支払われる。
【００４６】
さらに、自動取引装置１１を操作してアフィリエイト広告を登録することが可能な利用者には、エンドユーザＩＤとしての広告登録ユーザＩＤが付与される。なお、該広告登録ユーザＩＤは、報酬データ保持部１７に格納される。これにより、個々のアフィリエイト広告を登録した利用者を識別することができる。アフィリエイト広告によって発生した報酬は、前記金融機関が一括して受け取った後、前記広告登録ユーザＩＤに基づき各アフィリエイト広告を登録した利用者に分配される。
【００４７】
次に、前記構成の広告表示システムの動作について説明する。まず、アフィリエイト広告を登録する動作について説明する。
【００４８】
図２は本発明の第１の実施の形態におけるアフィリエイト広告を表示する範囲を指定する画面の例を示す図、図３は本発明の第１の実施の形態におけるアフィリエイト広告を登録する動作を示すフローチャートである。
【００４９】
まず、利用者は、通常の金融取引を行う場合と同様に、自動取引装置１１の画面表示操作部１１ａを操作すると、ホストサーバ１３は、前記自動取引装置１１と通信を行うことによって該自動取引装置１１の動作を管理する。続いて、前記利用者は、前記画面表示操作部１１ａに表示される画面のうちでアフィリエイト広告を表示する画面を選択し、さらに、選択した画面内でアフィリエイト広告を表示する場所を選択する。
【００５０】
そして、前記ホストサーバ１３の画面表示データ提供部１３ａは、前記利用者が、任意の画面を選択し、該画面上のボタン以外の場所を指でタッチしたか否かを判断する。ここで、前記利用者が、任意の画面を選択して該画面上のボタン以外の場所を指でタッチしない場合、前記ホストサーバ１３は、自動取引装置１１を通常の金融取引の動作に復帰させる。
【００５１】
また、前記利用者が、任意の画面を選択して該画面上のボタン以外の場所を指でタッチした場合、前記画面表示データ提供部１３ａは、どの画面のどの場所が選択されたのかを記憶する。そして、前記ホストサーバ１３は、前記利用者が広告登録可能ユーザであるか否か、すなわち、アフィリエイト広告の登録が可能な利用者であるか否かを確認する。この確認は、例えば、利用者が、あらかじめ付与された広告登録ユーザＩＤ及びパスワードを入力すること、指や掌の認証のような生体認証を実行すること等によって行われる。
【００５２】
そして、前記利用者がアフィリエイト広告の登録が可能な利用者でない場合、前記ホストサーバ１３は、自動取引装置１１を通常の金融取引の動作に復帰させる。また、前記利用者がアフィリエイト広告の登録が可能な利用者である場合、前記画面表示データ提供部１３ａは、画面表示操作部１１ａの動作を制御して、前記利用者が選択した画面上で任意の広さでアフィリエイト広告を表示する範囲を選択することができるようにする。
【００５３】
すると、前記利用者は、指で画面上に四角や丸を描くことによって範囲を選択する。例えば、前記利用者が、図２に示されるような暗証番号入力画面を選択した場合、点線で示されるような丸を描くことによって、暗証番号入力画面のＡの範囲をアフィリエイト広告を表示する範囲として選択することができる。選択された範囲を示す画面内の座標情報は、画面表示データとして広告データ保持部１４に格納される。なお、前記利用者が金融取引の操作を行うと、前記ホストサーバ１３は、自動取引装置１１を通常の金融取引の動作に復帰させる。
【００５４】
続いて、前記利用者は、アフィリエイトリンクの指定を行う。この場合、アフィリエイトリンクの指定は、次の（ａ）〜（ｃ）のいずれかの方法で行われる。なお、前記利用者が金融取引の操作を行うと、前記ホストサーバ１３は、自動取引装置１１を通常の金融取引の動作に復帰させる。
（ａ）画面表示操作部１１ａを操作し、画面上のソフトキーによってアフィリエイトリンクデータを直接入力する。
（ｂ）近距離無線を使用し、利用者が所持する携帯端末から自動取引装置１１に、アフィリエイトリンクデータを転送する。
（ｃ）画面表示操作部１１ａを操作し、ＥＣサイト１８内の商品情報を検索可能な画面を表示させ、キーワード検索によって商品を絞り込んで検索することにより、自動的にアフィリエイトリンクデータを入力させる。この場合、自動取引装置１１は、第１ネットワーク１２及び第２ネットワーク１５を介してＡＳＰサーバ１６にアクセスし、さらに、該ＡＳＰサーバ１６を介して、ＥＣサイト１８にアクセスする。
【００５５】
続いて、前記利用者は、登録確認を行い、アフィリエイト広告の登録が行われたことを確認し、アフィリエイト広告を登録する動作を終了する。なお、登録確認が行われない場合、前記ホストサーバ１３は、自動取引装置１１を通常の金融取引の動作に復帰させる。
【００５６】
アフィリエイト広告の登録が行われたことを確認する場合、プレビューを行うことができる。また、アフィリエイトリンクの指定を行うことによって入力されたアフィリエイトリンクデータは、第１ネットワーク１２を介して自動取引装置１１から広告データ保持部１４に送信され、該広告データ保持部１４に格納される。
【００５７】
次に、フローチャートについて説明する。
ステップＳ１  利用者が任意の画面を選択し、画面上のボタン以外の場所をタッチしたか否かを判断する。画面上のボタン以外の場所をタッチした場合はステップＳ２に進み、画面上のボタン以外の場所をタッチしない場合は、ホストサーバ１３は、自動取引装置１１を通常の金融取引の動作に復帰させる。
ステップＳ２  ホストサーバ１３は、利用者が広告登録可能ユーザであるか否かを確認する。利用者が広告登録可能ユーザである場合はステップＳ３に進み、利用者が広告登録可能ユーザでない場合は、ホストサーバ１３は、自動取引装置１１を通常の金融取引の動作に復帰させる。
ステップＳ３  利用者が選択した画面上で任意の広さでアフィリエイト広告を表示する範囲を選択する。
ステップＳ４  利用者は、アフィリエイトリンクの指定を行う。
ステップＳ５  利用者は、アフィリエイト広告の登録確認を行う。アフィリエイト広告の登録確認が行われた場合は動作を終了し、アフィリエイト広告の登録確認が行われない場合は、ホストサーバ１３は、自動取引装置１１を通常の金融取引の動作に復帰させる。
【００５８】
次に、アフィリエイト広告を表示する動作について説明する。
【００５９】
図４は本発明の第１の実施の形態におけるアフィリエイト広告を表示する動作を示すフローチャートである。
【００６０】
まず、利用者が自動取引装置１１の画面表示操作部１１ａを操作して、通常の金融取引を行うと、ホストサーバ１３は、前記自動取引装置１１と通信を行うことによって金融取引を処理する。この場合、前記ホストサーバ１３の画面表示データ提供部１３ａは、画面表示操作部１１ａに画面を表示させるためのデータである画面表示データに基づき、広告データ保持部１４にアクセスして、金融取引用の画面に広告情報としてのアフィリエイト広告が含まれるか否かを判断する。なお、前記利用者は、アフィリエイト広告の登録を行った利用者であってもよいが、ここでは他の利用者であるものとして説明する。
【００６１】
そして、アフィリエイト広告のデータが含まれない場合、前記ホストサーバ１３は、自動取引装置１１を通常の金融取引の動作に復帰させる。また、アフィリエイト広告が含まれる場合、前記画面表示データ提供部１３ａは、画面表示操作部１１ａに、広告情報としてのアフィリエイト広告を埋め込んだ画面を表示させる。ここで、アフィリエイト広告の埋め込みは、次の（ｄ）〜（ｆ）の方針に従って行われる。
（ｄ）あらかじめ画面毎に設定された最大広告数を超過しないようにする。
（ｅ）最大広告数を超過するアフィリエイト広告が存在する場合には、アフィリエイト広告の登録を行った利用者の優先順位に基づき、表示するアフィリエイト広告を決定する。例えば、預金額の多寡、自動取引装置１１の利用頻度、エンドユーザとして登録する登録料の多寡等に基づき決定する。
（ｆ）ただし、優遇される利用者以外の利用者が登録したアフィリエイト広告も表示されるように、表示頻度を一定に保持する。例えば、最低でも週に１回表示する。
【００６２】
続いて、前記利用者は、画面表示操作部１１ａの画面に表示されたアフィリエイト広告に興味を抱くと、該アフィリエイト広告が表示されている場所、すなわち、広告表示エリアに指でタッチする。一方、前記画面表示データ提供部１３ａは、前記利用者が指で広告表示エリアにタッチしたか否かを判断する。そして、金融取引のすべての操作が終了するまで、前記利用者が指で広告表示エリアにタッチしない場合、前記ホストサーバ１３は、自動取引装置１１を制御し、金融取引をそのまま終了させる。
【００６３】
また、金融取引のすべての操作が終了するまでに、前記利用者が指で広告表示エリアにタッチした場合、金融取引のすべての操作が終了した時点で、前記画面表示データ提供部１３ａは、画面表示操作部１１ａの画面をリンク先に遷移させる。すなわち、利用者が指でタッチした広告表示エリアに表示されたアフィリエイト広告に対応するＥＣサイト１８のウェブページを画面に表示させる。なお、ウェブページの情報は、アフィリエイトリンクデータとして広告データ保持部１４に格納されている。
【００６４】
この場合、前記自動取引装置１１は、アフィリエイトリンクデータに基づき、第１ネットワーク１２及び第２ネットワーク１５を介してＡＳＰサーバ１６にアクセスし、さらに、該ＡＳＰサーバ１６を介して、ＥＣサイト１８にアクセスする。そして、前記自動取引装置１１を管理する金融機関に付与されたアフィリエイトＩＤは、ＡＳＰサーバ１６に通知される。すると、該ＡＳＰサーバ１６は、アフィリエイトＩＤに基づき、アフィリエイト広告によって発生した報酬に関するデータ、すなわち、報酬データを算出する。
【００６５】
そして、該報酬データは、第１ネットワーク１２及び第２ネットワーク１５を介して、ホストサーバ１３に送信され、報酬データ保持部１７に格納される。これにより、アフィリエイト広告を表示する動作を終了する。
【００６６】
なお、前記ホストサーバ１３は、前記アフィリエイト広告を登録した利用者の広告登録ユーザＩＤを参照し、前記報酬データと広告登録ユーザＩＤとの対応付けを行って、報酬データ保持部１７に格納する。
【００６７】
また、アフィリエイト広告によって発生した報酬のうちの当該アフィリエイト広告を登録した利用者の取り分は、一定期間毎（例えば、毎月）に、報酬データ保持部１７に格納されている広告登録ユーザＩＤと対応付けされた報酬データに基づき、前記アフィリエイト広告を登録した利用者の口座に入金される。
【００６８】
次に、フローチャートについて説明する。
ステップＳ１１  ホストサーバ１３の画面表示データ提供部１３ａは、金融取引用の画面に広告情報が含まれるか否かを判断する。広告情報が含まれる場合はステップＳ１２に進み、広告情報が含まれない場合は、ホストサーバ１３は、自動取引装置１１を通常の金融取引の動作に復帰させる。
ステップＳ１２  画面表示データ提供部１３ａは、画面表示操作部１１ａに、広告情報を埋め込んだ画面を表示させる。
ステップＳ１３  利用者が指で広告表示エリアにタッチしたか否かを判断する。広告表示エリアにタッチした場合はステップＳ１４に進み、広告表示エリアにタッチしない場合は、ホストサーバ１３は、自動取引装置１１を制御し、金融取引をそのまま終了させる。
ステップＳ１４  金融取引のすべての操作が終了した時点で、画面表示データ提供部１３ａは、画面表示操作部１１ａの画面をリンク先に遷移させる。
ステップＳ１５  報酬データは、報酬データ保持部１７に格納され、動作を終了する。
【００６９】
このように、本実施の形態においては、金融機関の利用者が自動取引装置１１を操作してアフィリエイト広告を登録して画面表示操作部１１ａの画面に表示させることができる。したがって、該画面表示操作部１１ａの画面を広告媒体として効率的に活用することができる。また、前記利用者は、アフィリエイトサービスプロバイダ等による審査を受けることなくアフィリエイト広告を登録することができ、容易に、かつ、手軽にアフィリエイト広告によって報酬を得ることができる。
【００７０】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００７１】
図５は本発明の第２の実施の形態における広告表示システムの構成を示す図である。
【００７２】
図において、２１は、ＣＰＵ、ＭＰＵ等の演算手段、半導体メモリ、磁気ディスク等の記憶手段、入力手段、通信手段等を備えるコンピュータとしてのサービスプロキシサーバである。そして、第１ネットワーク１２は、サービスプロキシサーバ２１を介して、第２ネットワーク１５に接続されていている。
【００７３】
また、２３は、金融機関の利用者が所持するユーザ端末であり、例えば、携帯電話機、ＰＤＡ（Ｐｅｒｓｏｎａｌ  Ｄｉｇｉｔａｌ  Ａｓｓｉｓｔａｎｔ）、ゲーム機、携帯型パーソナルコンピュータ等であるが、ＣＰＵ、ＭＰＵ等の演算手段、半導体メモリ、磁気ディスク等の記憶手段、ＣＣＤ（Ｃｈａｒｇｅ  Ｃｏｕｐｌｅｄ  Ｄｅｖｉｃｅ：電荷結合素子）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ：シーモス）等の撮像手段、ＣＲＴ、液晶ディスプレイ、ＬＥＤディスプレイ等の表示手段、入力手段、通信手段等を備え、データ通信が可能であり、撮影した画像の送信が可能であって、携帯可能な装置であれば、いかなる種類の装置であってもよい。
【００７４】
そして、前記ユーザ端末２３は、第３ネットワーク２２を介して、前記サービスプロキシサーバ２１に接続することができる。なお、前記第３ネットワーク２２は、金融機関外のネットワークであって、無線又は有線の専用通信回線網又は公衆通信回線網、ＬＡＮ、ＷＡＮ等のいかなるものであってもよいが、ここでは、無線の公衆データ通信回線網であるものとして説明する。
【００７５】
さらに、本実施の形態において自動取引装置１１は、取引明細票２５を発行する明細発行部１１ｂを有する。前記取引明細票２５は、入金、出金、通帳記帳、残高照会、振込、振替、送金、定期性預金設定等の利用者が行った金融取引に関する情報が印刷される紙片であり、口座番号、金融取引の種類、取引金額等が印刷される。なお、前記取引明細票２５は、利用者が希望したときだけに発行されるようにしてもよい。
【００７６】
また、自動取引装置１１を操作して金融取引を行う利用者が、画面表示操作部１１ａの画面に表示されたアフィリエイト広告に興味を抱いて広告表示エリアに指でタッチすると、前記アフィリエイト広告のアフィリエイトリンクデータを含むＱＲコード（Ｒ）等の二次元情報コード２６が前記取引明細票２５に印刷される。なお、前記二次元情報コード２６には、前記アフィリエイトリンクデータに加えて、前記サービスプロキシサーバ２１のＵＲＬ（Ｕｎｉｆｏｒｍ  Ｒｅｓｏｕｒｃｅ  Ｌｏｃａｔｏｒ）等を示すサービスプロキシデータ、アフィリエイトＩＤ、広告登録ユーザＩＤ等の情報も含まれている。
【００７７】
なお、その他の点の構成については、前記第１の実施の形態と同様であるので、その説明を省略する。
【００７８】
次に、本実施の形態における広告表示システムの動作について説明する。なお、アフィリエイト広告を登録する動作については、前記第１の実施の形態と同様であるので、説明を省略し、アフィリエイト広告を表示する動作について説明する。
【００７９】
図６は本発明の第２の実施の形態におけるアフィリエイト広告を表示する動作を示すフローチャートである。
【００８０】
まず、利用者が自動取引装置１１の画面表示操作部１１ａを操作して、通常の金融取引を行うと、ホストサーバ１３は、前記自動取引装置１１と通信を行うことによって金融取引を処理する。この場合、前記ホストサーバ１３の画面表示データ提供部１３ａは、画面表示操作部１１ａに画面を表示させるためのデータである画面表示データに基づき、広告データ保持部１４にアクセスして、金融取引用の画面に広告情報としてのアフィリエイト広告が含まれるか否かを判断する。なお、前記利用者は、アフィリエイト広告の登録を行った利用者であってもよいが、ここでは他の利用者であるものとして説明する。
【００８１】
そして、アフィリエイト広告のデータが含まれない場合、前記ホストサーバ１３は、自動取引装置１１を通常の金融取引の動作に復帰させる。また、アフィリエイト広告が含まれる場合、前記画面表示データ提供部１３ａは、画面表示操作部１１ａに、広告情報としてのアフィリエイト広告を埋め込んだ画面を表示させる。ここで、アフィリエイト広告の埋め込みは、次の（ｄ）〜（ｆ）の方針に従って行われる。
（ｄ）あらかじめ画面毎に設定された最大広告数を超過しないようにする。
（ｅ）最大広告数を超過するアフィリエイト広告が存在する場合には、アフィリエイト広告の登録を行った利用者の優先順位に基づき、表示するアフィリエイト広告を決定する。例えば、預金額の多寡、自動取引装置１１の利用頻度、エンドユーザとして登録する登録料の多寡等に基づき決定する。
（ｆ）ただし、優遇される利用者以外の利用者が登録したアフィリエイト広告も表示されるように、表示頻度を一定に保持する。例えば、最低でも週に１回表示する。
【００８２】
続いて、前記利用者は、画面表示操作部１１ａの画面に表示されたアフィリエイト広告に興味を抱くと、該アフィリエイト広告が表示されている場所、すなわち、広告表示エリアに指でタッチする。一方、前記画面表示データ提供部１３ａは、前記利用者が指で広告表示エリアにタッチしたか否かを判断する。そして、金融取引のすべての操作が終了するまで、前記利用者が指で広告表示エリアにタッチしない場合、前記ホストサーバ１３は、自動取引装置１１を制御し、金融取引をそのまま終了させる。
【００８３】
また、金融取引のすべての操作が終了するまでに、前記利用者が指で広告表示エリアにタッチした場合、金融取引のすべての操作が終了した時点で、明細発行部１１ｂは、二次元情報コード２６を印刷した取引明細票２５を発行する。前記二次元情報コード２６には、アフィリエイトリンクデータ、サービスプロキシデータ、アフィリエイトＩＤ、広告登録ユーザＩＤ等の情報が含まれている。
【００８４】
続いて、前記利用者は、ユーザ端末２３を用いて前記二次元情報コード２６を読み取る。具体的には、前記ユーザ端末２３の備える撮像手段を使用して、取引明細票２５に印刷された二次元情報コード２６を撮影する。なお、該二次元情報コード２６の読取は、必ずしも金融取引の操作を終了した直後である必要はなく、例えば、自宅に戻ってからでもよいし、別の日であってもよいし、利用者の都合の良い日時及び場所で行うことができる。
【００８５】
そして、二次元情報コード２６の読取を行うと、二次元情報コード２６に含まれるサービスプロキシデータに基づいて、ユーザ端末２３は、第３ネットワーク２２介してサービスプロキシサーバ２１に接続される。すると、二次元情報コード２６に含まれるアフィリエイトリンクデータ、アフィリエイトＩＤ、広告登録ユーザＩＤ等の情報がサービスプロキシサーバ２１に送信される。そして、前記アフィリエイトリンクデータに基づいて、サービスプロキシサーバ２１がユーザ端末２３をリンク先に接続する。すなわち、自動取引装置１１の画面表示操作部１１ａの画面で利用者が指でタッチした広告表示エリアに表示されたアフィリエイト広告に対応するＥＣサイト１８のウェブページを、ユーザ端末２３の表示手段の画面に表示させる。
【００８６】
この場合、前記サービスプロキシサーバ２１は、アフィリエイトリンクデータに基づき、第２ネットワーク１５を介してＡＳＰサーバ１６にアクセスし、さらに、該ＡＳＰサーバ１６を介して、ＥＣサイト１８にアクセスする。そして、前記アフィリエイトＩＤは、ＡＳＰサーバ１６に通知される。すると、該ＡＳＰサーバ１６は、アフィリエイトＩＤに基づき、アフィリエイト広告によって発生した報酬に関するデータ、すなわち、報酬データを算出する。
【００８７】
そして、該報酬データは、第２ネットワーク１５を介して、サービスプロキシサーバ２１に送信され、報酬データ保持部１７に格納される。これにより、アフィリエイト広告を表示する動作を終了する。
【００８８】
なお、前記サービスプロキシサーバ２１は、前記アフィリエイト広告を登録した利用者の広告登録ユーザＩＤを参照し、前記報酬データと広告登録ユーザＩＤとの対応付けを行って、報酬データ保持部１７に格納する。
【００８９】
また、アフィリエイト広告によって発生した報酬のうちの当該アフィリエイト広告を登録した利用者の取り分は、一定期間毎（例えば、毎月）に、報酬データ保持部１７に格納されている広告登録ユーザＩＤと対応付けされた報酬データに基づき、前記アフィリエイト広告を登録した利用者の口座に入金される。
【００９０】
次に、フローチャートについて説明する。
ステップＳ２１  ホストサーバ１３の画面表示データ提供部１３ａは、金融取引用の画面に広告情報が含まれるか否かを判断する。広告情報が含まれる場合はステップＳ２２に進み、広告情報が含まれない場合は、ホストサーバ１３は、自動取引装置１１を通常の金融取引の動作に復帰させる。
ステップＳ２２  画面表示データ提供部１３ａは、画面表示操作部１１ａに、広告情報を埋め込んだ画面を表示させる。
ステップＳ２３  利用者が指で広告表示エリアにタッチしたか否かを判断する。広告表示エリアにタッチした場合はステップＳ１４に進み、広告表示エリアにタッチしない場合は、ホストサーバ１３は、自動取引装置１１を制御し、金融取引をそのまま終了させる。
ステップＳ２４  金融取引のすべての操作が終了した時点で、明細発行部１１ｂは、二次元情報コード２６を印刷した取引明細票２５を発行する。
ステップＳ２５  利用者は、ユーザ端末２３を用いて二次元情報コード２６を読み取る。
ステップＳ２６  サービスプロキシサーバ２１がユーザ端末２３をリンク先に接続する。
ステップＳ２７  報酬データは、報酬データ保持部１７に格納され、動作を終了する。
【００９１】
このように、本実施の形態においては、自動取引装置１１の画面表示操作部１１ａの画面に表示されたアフィリエイト広告の情報を含む二次元情報コード２６が取引明細票２５に印刷されるので、利用者は、後でユーザ端末２３を使用して、アフィリエイト広告に対応するＥＣサイト１８のウェブページを閲覧することができる。したがって、自動取引装置１１が、前記ウェブページを閲覧する利用者によって、長時間独占されてしまうことを防止することができる。
【００９２】
なお、前記第１の実施の形態では、アフィリエイト広告を登録するために自動取引装置１１を使用する例について説明したが、自動取引装置１１に代えて、携帯電話機、ＰＤＡ等の携帯端末や、家庭用パーソナルコンピュータを使用することもできる。
【００９３】
また、前記第１及び第２の実施の形態では、本発明を自動取引装置１１に適用した例について説明したが、自動取引装置１１に代えて、インターネットバンキングサービスにも適用可能である。
【００９４】
さらに、本発明は前記実施の形態に限定されるものではなく、本発明の趣旨に基づいて種々変形させることが可能であり、それらを本発明の範囲から排除するものではない。
【図面の簡単な説明】
【００９５】
【図１】本発明の第１の実施の形態における広告表示システムの構成を示す図である。
【図２】本発明の第１の実施の形態におけるアフィリエイト広告を表示する範囲を指定する画面の例を示す図である。
【図３】本発明の第１の実施の形態におけるアフィリエイト広告を登録する動作を示すフローチャートである。
【図４】本発明の第１の実施の形態におけるアフィリエイト広告を表示する動作を示すフローチャートである。
【図５】本発明の第２の実施の形態における広告表示システムの構成を示す図である。
【図６】本発明の第２の実施の形態におけるアフィリエイト広告を表示する動作を示すフローチャートである。
【符号の説明】
【００９６】
１１    自動取引装置
１１ａ    画面表示操作部
１１ｂ    明細発行部
１３    ホストサーバ
１３ａ    画面表示データ提供部
１６    ＡＳＰサーバ
１７    報酬データ保持部
１８    ＥＣサイト
２５    取引明細票
２６    二次元情報コード
【図１】
2009211336.tif 000003
【図２】
2009211336.tif 000004
【図３】
2009211336.tif 000005
【図４】
2009211336.tif 000006
【図５】
2009211336.tif 000007
【図６】
2009211336.tif 000008